(57)【特許請求の範囲】
【請求項１】
２枚以上吊下げた吊り足場材（１）同士を連結して吊り足場（２）を組立て、組立て方向先端の吊り足場材（１）の先方に落下防止具（３）を突出させて配置し、この落下防止具（３）より上方に次に組立てる吊り足場材（１）を吊下げて吊り足場（２）に連結し、落下防止具（３）を先方にスライドさせ、その落下防止具（３）の上方に次に組立てる吊り足場材（１）を吊下げて吊り足場（２）に連結し、その落下防止具（３）の先方へのスライド、吊り足場材（１）の吊下げ及び連結を繰返して、吊り足場（２）を組立てるようにしたことを特徴とする吊り足場組立て工法。
【請求項２】
落下防止具（３）と吊り足場（２）との間に隙間ができないように、落下防止具（３）の一部を吊り足場（２）の下にオーバーラップさせて配置することを特徴とする請求項１記載の吊り足場組立て工法。
【請求項３】
吊り足場材（１）として、枠体（４）に踏み材（５）を固定して人が乗ることができるパネル状に形成されものを使用することを特徴とする請求項１又は請求項２記載の吊り足場組立て工法。
【請求項４】
吊下げた２枚以上の吊り足場材（１）同士を連結して組立てた吊り足場（２）の下方に、固定・解除可能に取付けられる取付治具（６）と、
前記取付治具（６）により、吊り足場（２）の下方に、吊り足場（２）の組立て方向先端より先方に突出して取付けられる落下防止具（３）を備え、
前記落下防止具（３）はその上で連結して組立てられた吊り足場（２）よりも先方まで突出するように、前記取付治具（６）に取付けられた状態でスライド可能であることを特徴とする吊り足場用落下防止装置。
【請求項５】
落下防止具（３）が吊り足場（２）に取付ける支持部（７）と、その先に設けた受部（８）とを備え、受部（８）は支持部（７）を吊り足場（２）に取付けたときに吊り足場（２）の組立て方向先端より先方に突出するように支持部（７）に取付けられてなることを特徴とする請求項４記載の吊り足場用落下防止装置。
【請求項６】
吊り足場材（１）が枠体（４）に踏み材（５）を固定して人が乗ることができるパネル状に形成されたものであることを特徴とする請求項４又は請求項５記載の吊り足場用落下防止装置。
【請求項７】
吊下げた２枚以上の吊り足場材（１）同士を連結して組立てられた吊り足場（２）に取付けられる支持部（７）と、支持部（７）の先に設けられた受部（８）とを備え、受部（８）が吊り足場材（１）よりも広いものであることを特徴とする吊り足場用落下防止具。
【請求項８】
受部（８）が底面（９）の両側方と先方との３方に、立ち上がり周壁（１０）を備えたものであることを特徴とする請求項７記載の吊り足場用落下防止具。
【発明の詳細な説明】
【０００１】
【発明の属する技術分野】
本発明は高速道路や橋脚等の工事をはじめとする、各種の建設、土木工事等において、高所作業を行なうために組立てられる吊り足場組立て工法とそれに使用される吊り足場用落下防止装置及び落下防止具に関するものである。
【０００２】
【従来の技術】
前記した各種の建設、土木工事では、吊り足場と称される足場を作り、その上で建設作業や改修作業等を行なうことが多い。従来の吊り足場は高速道路や橋脚等の下に丸パイプを吊下げ、その丸パイプの上に踏み板をのせて番線で固定したものが一般的であった。しかし、それは丸パイプの吊下げ、踏み板の固定等の作業が面倒であり、また、危険でもあった。そこで本件出願人は先に、横長方形の枠材の上に金属網、金属板、木材板等を固定してパネル状にした吊り足場材を開発し、特許或は実用新案として出願し、特許第２１３７０００号、実用新案登録第２１２３３２６号として登録もされている。
【０００３】
その吊り足場材は図５、図６に示す様に、金属製の横長の枠体４の二箇所以上に、支持材Ａから吊下げるチェーン、ワイヤ等の索条Ｂを係止する係止部１５を設け、同枠体４に金属網、金属板等の踏み材５を固定して人が乗ることができる広さのパネル状に形成し、更に、枠体４に、配列方向に隣接する吊り足場材１同士を連結するための配列方向連結具１７（図５）と、配列方向連結具１７を連結可能な配列方向連結受部１８（図５）を設け、横方向に隣接する吊り足場材１同士を連結する横連結具Ｃを配置可能な空間部１９と（図６）、その空間部１９に配置された横連結具Ｃを係止可能な横連結受部２０（図６）を設けたものである。
【０００４】
前記吊り足場材１を使用して吊り足場２を組立てるには例えば次のようにする。
（１）図７に示す様に二本の支持材Ａの対向位置にチェ−ン吊下用のクランプＤを取付けてそれに索条Ｂを吊下げる。
（２）その索条Ｂを同図に示す様に吊り足場材１の左右の係止部１５に掛けて、その吊り足場材１を支持材Ａに対して横向きに水平に吊下げる。
（３）吊下げられた吊り足場材１の踏み材５の上に作業者が乗って支持材Ａの先方に別のクランプＤを取付け、それに索条Ｂを吊下げる。
（４）この索条Ｂを図７に示す様に別の吊り足場材１の左右の係止部１５の夫々掛けて、その吊り足場材１を先に吊下げた吊り足場材１の先に吊下げる。
（５）図５に示す様に後に吊下げた吊り足場材１の配列方向連結具１７を、先に吊下げた吊り足場材１の配列方向連結受部１８に連結固定して、二つの吊り足場材１を配列方向に連結固定する。
以下、この作業を繰返して多数の吊り足場材１を配列方向に連結して吊り足場２を組立てる。
（６）前記のようにして組立てられた吊り足場２の幅が狭い場合には、図７に示す様な隣の支持材ＡにクランプＤを取付けてそれに索条Ｂを吊下げ、その索条Ｂを別の吊り足場材１の係止部１５に掛け、同吊り足場材１を先に吊下げられている吊り足場材１の長手方向横に吊下げる。この場合、図６に示す様に吊下げられた吊り足場材１の空間部１９と、先に組立てられている吊り足場材１の空間部１９とに横連結具Ｃをセットし、その横連結具Ｃを両吊り足場材１の横連結受部２０に係止固定して両吊り足場材１同士を横に連結する。
【０００５】
【発明が解決しようとする課題】
前記吊り足場材を使用した吊り足場の組立て方法では、従来のパイプを使用した吊り足場の課題を解決することができ、特に問題はないが、強いて挙げると次のような課題があった。
（１）先に組立てた吊り足場材１の先に、次の吊り足場材１を吊を下げる際に、吊下げようとする吊り足場材１が過って落下する危険がある。
（２）組立てられた吊り足場２の先から工具、連結具、建設資材等が虞れがあり、危険である。
（３）前記のような転落、落下の危険性があるため、作業を通行量の少ない夜間のみに行なうか、昼間に行なう場合には吊り足場２の下の交通を規制する必要がある。
【０００６】
【課題を解決するための手段】
本件出願の発明は前記課題を解決することを目的とするものである。本件出願の第１の発明は、請求項１記載のように、２枚以上吊下げた吊り足場材同士を連結して吊り足場を組立て、組立て方向先端の吊り足場材の先方に落下防止具を突出させて配置し、この落下防止具より上方に次に組立てる吊り足場材を吊下げて組立て済みの吊り足場に連結し、落下防止具を先方にスライドさせ、その落下防止具の上方に次に組立てる吊り足場材を吊下げて組立て済みの吊り足場に連結し、その繰返しにより吊り足場を組立てるようにした吊り足場組立て工法である。
【０００７】
本件出願の第２の発明は、請求項２記載のように、請求項１記載の吊り足場組立て工法において、落下防止具と吊り足場との間に隙間ができないように、落下防止具の一部を吊り足場の下にオーバーラップさせて配置した吊り足場組立て工法である。
【０００８】
本件出願の第３の発明は、請求項３記載のように、請求項１又は請求項２記載の吊り足場組立て工法において、吊り足場材として、枠体に踏み材を固定して人が乗ることができるパネル状に形成されものを使用する吊り足場組立て工法である。
【０００９】
本件出願の第４の発明は、請求項４記載のように、吊下げた２枚以上の吊り足場材１同士を連結して組立てた吊り足場２の下方に、固定・解除可能に取付けられる取付治具６と、前記取付治具６により、吊り足場２の下方に、吊り足場２の組立て方向先端より先方に突出して取付けられる落下防止具３を備え、前記落下防止具３はその上で連結して組立てられた吊り足場２よりも先方まで突出するように、前記取付治具６に取付けられた状態でスライド可能とした吊り足場用落下防止装置である。
【００１０】
本件出願の第５の発明は、請求項５記載のように、請求項４記載の吊り足場用落下防止装置において、落下防止具３が吊り足場２に取付ける支持部７と、その先に設けた受部８とを備え、受部８は支持部７を吊り足場２に取付けたときに吊り足場２の組立て方向先端より先方に突出するように支持部７に取付けた吊り足場用落下防止装置である。
【００１１】
本件出願の第６の発明は、請求項６記載のように、請求項４又は請求項５記載の吊り足場用落下防止装置において、吊り足場材が枠体に踏み材を固定して人が乗ることができるパネル状にした吊り足場用落下防止装置である。
【００１２】
本件出願の第７の発明は、請求項７記載のように、吊下げた２枚以上の吊り足場材同士を連結して組立てられた吊り足場に取付ける支持部と、支持部の先に設けられた受部とを備え、受部が吊り足場材１よりも広い吊り足場用落下防止具である。
【００１３】
本件出願の第８の発明は、請求項８記載のように、請求項７記載の吊り足場用落下防止具において、支持部がその底面の両側方と先方との３方に、上方に立ち上がる周壁を備えた吊り足場用落下防止具である。
【００１４】
【発明の実施の形態】
（実施形態１）
本件出願の第１の発明である吊り足場の組立て工法の実施形態の第１の例を図１、図２に基づいて詳細に説明する。この吊り足場組立て工法により吊り足場を施工するときは次のようにする。
（１）図７に示す吊り足場組立て工法と同様に、例えば図５、図６に示す吊り足場材１を一枚ずつ支持材Ａに吊下げ、吊下げた吊り足場材１同士を配列方向に連結する。
（２）図１に示す様に組立てた吊り足場２の先方に落下防止具３を、その後部２１が吊り足場２の最先端の吊り足場材１の下にオーバーラップするように配置して、吊り足場２の先端と落下防止具３との間に隙間ができないようする。このとき取付け具を使用して落下防止具３を吊り足場２に取付ける。
（３）落下防止具３の上方で、吊り足場材１を支持材Ａに吊下げ、その吊り足場材１を吊り足場２に連結する。
（４）落下防止具３を先に吊下げて連結した吊り足場２の先方にスライドさせる。この場合も落下防止具３の後部２１が吊り足場２の最先端の吊り足場材１の下にオーバーラップして、吊り足場２の先端と落下防止具３との間に隙間ができないようにする。
（５）スライドさせた落下防止具３の上方で次の吊り足場材１を吊下げ、この吊り足場材１を前回組立てた吊り足場２に連結する。
（６）以下、前記した落下防止具３のスライド、その上方での吊り足場材１の吊下げ、吊り足場材１の組立てを繰返して、吊り足場材１を一枚ずつ順次配列方向に連結し、所望の長さの吊り足場２を組立てる。
（７）前記のようにして組立てられた吊り足場２の幅が狭い場合には、隣の支持材ＡにクランプＤを取付け、それに索条Ｂにより吊り足場材１を吊下げて、先に組立てられた吊り足場２の横に新たな吊り足場材１を次々と吊下げる。このときも上記と場合と同様の手順で、吊り足場２の先方に落下防止具３をその後部２１が吊り足場２の最先端の吊り足場材１の下にオーバーラップするように配置して、吊り足場２の先端と落下防止具３との間に隙間ができないようにし、その上で吊り足場材１の吊下げ、吊り足場材１の組立てを繰返する。
【００１５】
（実施形態２）
本件出願の第２の発明である吊り足場用落下防止装置の実施形態の一例を図１〜図４に基づいて詳細に説明する。この吊り足場用落下防止装置は本件出願の第１の発明である吊り足場組立て工法に使用されるものであり、落下防止具３を取付治具６により吊り足場２に取付けてなる。
【００１６】
落下防止具３は図２に示す様に、外径約６０ｍｍの２本の金属製丸パイプ２２を間隔を開けて平行に配置し、その丸パイプ２２の先端に受部８を設け、丸パイプ２２の反対側を吊り足場２の下に沿わせて吊り足場２に取付ける支持部７としてある。受部８は金属製丸パイプにより吊り足場材１よりも横長に形成した底枠２３を支持部７の先端側に取付け、その底枠２３に金属パイプ製の補強材２４を設け、底枠２３の先端面から上方に先端枠２５を立ち上げ、それに補強材２４を取付け、底枠２３の両側面から上方に側面枠２６を立ち上げ、それにも補強材２４を取付け、それら４つの枠の内側に樹脂製のネットを張って、底面９及び立ち上がり周壁１０を形成してある。前記先端枠２５は底枠２３に溶接されて固定されているが、側面枠２６は取付け具２７により底枠２３に図中の矢印ａ−ｂ方向に回動可能に取付けられている。この両側面枠２６は立ち上げた状態で先端枠２５に長さ調節可能な連結具２８により連結し、その長さを調節することによって両側面枠２６の立ち上がり角度を調節することができ、また、連結具２８による連結を解除して内側に回動させると底枠２３の上に重ねて折畳むことができるようにしてある。
【００１７】
前記取付治具６は図３、図４に示す様に、下向きコ字状の嵌合部３０と、嵌合部３０の側方に突出する係止材３１と、係止材３１の下面より下方に突設するガイド３２と、係止材３１を上下に貫通して回動である回動子３３と、回動子３３にチェーン５１で連結された止め具３４とから構成されている。
【００１８】
前記の嵌合部３０は図４に示す様に吊り足場材１の横連結受部２０の上に被せるものである。係止材３１は同図に示す様に嵌合部３０を横連結受部２０の上に被せたときに吊り足場材１の踏み材５の上に乗せるものであり、薄い角パイプを横向きに使用し、それを嵌合部３０の上面に溶接により固定してある。この係止材３１には図３に示す様に差し込み穴３５が上下に貫通されている。また、係止材３１の底面にはラバーゴム等の滑り止め材３６が張られている。ガイド３２には丸パイプが使用されており、その上端を係止材３１の下面に溶接により固定してあり、丸パイプの下端よりやや上方に回動子３３側に突出するガイドストッパー３７が設けられている。回動子３３にも丸パイプが使用されており、係止材３１の下方に突出する下端部をＬ字状に曲げてガイド３２よりも外側まで突出させた回動ストッパー３８が形成され、回動ストッパー３８よりも上方に外側に突出する支持材３９が突設され、支持材３９よりも上方に回動子３３の降下を規制する降下ストッパー（ナット）４０を溶接し、更にその上方にＬ字状に曲げたハンドル４１を形成してある。降下ストッパー４０は係止材３１の上面とハンドル４１との間に隙間４２を確保して、その隙間４２にハンドル操作時に手を差し込むことができるようにするものである。ハンドル４１は回動子３３を回動させて、回動ストッパー３８と支持材３９を回転させるためのものである。
【００１９】
ハンドル４１と、支持材３９と、ガイドストッパー３７と、回動ストッパー３８の関係は、ハンドル４１を図３の左方向へ回転させると回動ストッパー３８がガイド３２の下端側面に当って回動子３３はそれ以上回動せず、ハンドル４１を逆回転させると支持材３９がガイド３２に当って回動子３３がそれ以上回動しないようにしてある。しかも、回動ストッパー３８がガイド３２の下端側面に当るまでハンドル４１を回転させると、支持材３９が吊り足場材１の下にセットされると同時に空間４３が形成され、支持材３９がガイド３２に当るまで回転させると、支持材３９が吊り足場材１の下から確実に外れると同時に空間４３が解除されるようにしてある。これにより、回動子３３の回動量を目視により確認しなくとも、回動ストッパー３８がガイド３２の下端側面に当って停止する位置まで回転させるだけで、支持材３９の位置及び空間４３の状態を確認することができるようにしてある。
【００２０】
前記の降下ストッパー（ナット）４０には、図３に示す様に係止片４４がハンドル４１と反対方向に突出するように溶接されており、この係止片４４には差し込み穴４５が開口されている。この係止片４４はハンドル４１の回転に伴って回転するようにしてあり、ハンドル４１を図３のように右向きに回転させると、係止片４４の差し込み穴４５が係止材３１の差し込み穴３５と連通状態となるようにしてある。降下ストッパー４０には止め具３４がチェーン５１により連結されており、この止め具３４を係止片４４の差し込み穴４５に抜き差し自在としてある。この止め具３４には通常はピン５０の外側に突出しているが、押されるとピン５０の内側に押込まれる規制片５２が設けられているグラビティーピンが使用されている。従って、ピン５０を連通状態となった差込み穴３５、４５に押込むと、同差込み穴３５、４５の内壁によって前記規制片５２が押込まれて、差込み穴３５、４５に挿入され、挿入された後は規制片５２が元の位置に復帰し、差込み穴３５、４５を通過不可能となり、ピン５０が外れなくなる。
【００２１】
前記の構造の取付治具６を使用して落下防止具３を吊り足場２に取付けるには次のようにする。
（１）図４の様にハンドル４１を回転操作して支持材３７を内側に向けておき、その状態で嵌合部３０を吊り足場材１の横連結受部２０の上に被せ、係止材３１を吊り足場材１の踏み材５の上に乗せる。
（２）前記状態でハンドル４１を逆方向に回転操作して、支持材３７を外側に回転させて当該踏み材５の下まで回転させて、吊り足場材１を係止材３１と支持材３７とにより挟着する。この挟着により取付治具６が吊り足場材１に固定される。
（３）ピン５０を係止片４４の差し込み穴４５から係止材３１の差し込み穴３５に差し込み、ピン５０の規制片５２が係止材３１の差し込み穴３５の下方に貫通して突出するまで差し込む。これによりハンドル４１の逆回転が防止され、支持材３７が踏み材５の下から外れないようにする。これにより取付治具６を吊り足場材１にセットすることができる。
（４）前記と同様にして、複数の取付治具６を吊り足場２の先端側の数枚の吊り足場材１の下にセットする。
（５）セットされた複数の取付治具６の空間４３内に、吊り足場２の組立て方向先方から落下防止具３の支持部７を挿入して、同支持部７を吊り足場２の下方に同吊り足場２に沿って配置する。このとき図１に示す様に落下防止具３の受部８の後部２１が吊り足場２の組立て方向先方とオーバーラップする様にする。
【００２２】
（他の実施形態）
本発明の落下防止具３は図２に示したものに限られず、受部８の前方と側方の片側にのみ立ち上がり周壁１０を形成した様なものとすることもできる。また、立ち上がり周壁１０は必ずしも形成しなくともよい。但し、その場合には受部８に張るネットを多少たるませて、落下物を受け止め易くすることが望ましい。また、受部８は図示したもの以外に支持部７の先端にカゴやパネルを取付けたものとすることもできる。
【００２３】
取付治具６には同取付治具６が吊り足場２から落下することを防止するために吊り足場２に連結する連結手段を設けることもできる。この連結手段としては、例えば一端を取付治具６の任意の部位に固定したワイヤロープの他端に、吊り足場２の任意の部位に取付け／取外し可能なフックやクリップ等を設けたものとすることができる。さらには前記ワイヤロープを螺旋状に巻いて弾性力を付与したものして、万一当該取付治具６が吊り足場２から落下したときに、その衝撃を吸収して容易に切断しないように工夫したものとすることもできる。
【００２４】
【発明の効果】
本発明の吊り足場組立て工法は次のような効果を有する。
（１）組立て済の吊り足場の先方に落下防止具を突出させて配置し、この落下防止具より上方に次に組立てる吊り足場材を吊下げて組立て済みの吊り足場に連結するので、次に組立てる吊り足場材が過って地上に落下することがなく安全である。
（２）落下防止具と吊り足場との間に隙間ができないように、落下防止具の一部を吊り足場の下にオーバーラップさせて配置させるので、落下防止具と吊り足場との間の隙間から工具や資材等が落下することがない。
【００２５】
本発明の吊り足場用落下防止装置は次のような効果を有する。
（１）吊り足場の先方に落下防止具を取付けることができるので、そこから作業員が転落したり、工具、建設資材等が落下する虞れがない。
（２）吊り足場から作業員、工具、建設資材等が落下する虞れがないため、吊り足場の下の交通を規制する必要がない。
（３）転落の虞れがないため、未熟な作業員でも吊り足場の先端での作業に恐怖を感じることがない。
（４）落下防止具を吊り足場の組立て方向先方にスライド可能に取付けることができるので、落下防止具を取付けた後に吊り足場の先方に新たな吊り足場材を吊下げて吊り足場を延長する場合に、落下防止具を取外したり、取付けたりする必要がない。
【００２６】
本発明の落下防止具は次のような効果を有する。
（１）この落下防止具は吊り足場に取付けられる支持部と、支持部の先に設けられた受部とを備え、受部が吊り足場材よりも広いものであるため、吊り足場から落ちた作業員、工具や資材等を確実に受け止めて、地上に落下することを防止することができる。
（２）受部がその底面の両側方と先方との３方に、上方に立ち上がる周壁を備えたものであるため、より確実に吊り足場からの作業員、工具や資材等の落下を防止することができる。
【図面の簡単な説明】
【図１】  （ａ）は本発明の吊り足場組立て工法の一例を示す平面図、（ｂ）は同側面図。
【図２】  本発明の落下防止具３の一例を示す下方斜視図。
【図３】  本発明の吊り足場用落下防止装置における取付治具６の一例を示す斜視図。
【図４】  本発明の吊り足場用落下防止装置における取付治具６の使用方法を示す説明斜視図。
【図５】  吊り足場材１の一例を示す説明図。
【図６】  吊り足場材１の一例を示す説明図。
【図７】  従来の吊り足場組立て工法の一例を示す説明図。
【符号の説明】
１  吊り足場材
２  吊り足場
３  落下防止具
４  枠体
５  踏み材
６  取付治具
７  支持部
８  受部
９  底面
１０立ち上がり周壁
【図１】
0004106133.tif 000002
【図２】
0004106133.tif 000003
【図３】
0004106133.tif 000004
【図４】
0004106133.tif 000005
【図５】
0004106133.tif 000006
【図６】
0004106133.tif 000007
【図７】
0004106133.tif 000008